【事件の表示】
　特許第６２３０２４０号発明「遠心分離機」の特許異議申立事件について、次のとおり決定する。
【結　論】
　特許第６２３０２４０号の明細書及び特許請求の範囲を訂正請求書に添付された訂正明細書及び特許請求の範囲のとおり、訂正後の請求項〔１〜３〕について訂正することを認める。
　特許第６２３０２４０号の請求項２、３に係る特許を維持する。
　特許第６２３０２４０号の請求項１に係る特許についての特許異議の申立てを却下する。
【理　由】
第１　手続の経緯
　特許第６２３０２４０号（以下、「本件特許」という。）の請求項１〜３に係る特許についての出願は、平成２５年２月１５日の出願であって、平成２９年１０月２７日にその特許権の設定登録がされ、平成２９年１１月１５日に特許掲載公報が発行され、その後、その特許について、平成２９年１１月２４日付けで特許異議申立人小海善史（以下、「申立人」という。）により特許異議の申立てがされ、平成３０年６月２５日付けで取消理由が通知され、その指定期間内である平成３０年８月２４日付けで意見書の提出及び訂正請求がされ、平成３０年１０月３日付けで、申立人から意見書が提出されたものである。
第２　訂正の適否についての判断
１　訂正の内容
　本件訂正請求による訂正の内容は、以下のとおりである（下線部は訂正箇所である。）。
（１）訂正事項１
　特許請求の範囲の請求項１を削除する。
（２）訂正事項２
　特許請求の範囲の請求項２に、
「鍔部は、カバー部材の内周縁に掛かるように張り出すことを特徴とする請求項１に記載の遠心分離機。」
とあるのを、
「
回転軸心周りに回転して処理対象汚泥を遠心力で分離水と脱水ケーキに固液分離するボウルと、ボウルの回転軸心方向の一端側の端部壁に設けた分離水排出口と、ボウルの回転軸心方向の他端側に設けた脱水ケーキ排出口と、ボウル内で前記回転軸心回りに回転してボウルの内周面上で脱水ケーキを脱水ケーキ排出口に向けて移送するスクリューコンベアと、ボウルを覆って配置するハウジングを備え、
　
ボウルの前記端部壁の外面とハウジングの内面との間にカバー部材を設け、カバー部材とハウジングの内面との間に分離水排水空間を形成し、カバー部材がボウルの前記端部壁の外面における分離水排出口からボウル径方向の外側域を分離水排水空間から隔て、
　
ボウルの半径方向における位置を調整することにより、ボウル内の上限水位となる分離水排出口での堰高さを設定するダムプレートを、各分離水排出口の開口の一部を覆って配置し、
　
ダムプレートは、前記分離水が越流する越流縁に、前記分離水の越流方向である前記回転軸心方向前方に張り出す鍔部を有し、
　鍔部は、カバー部材の内周縁に掛かるように張り出すことを特徴とす
る遠
に訂正する。
（３）訂正事項３
　特許請求の範囲の請求項３に、「ことを特徴とする請求項１または２に記載の遠心分離機。」とあるのを、「ことを特徴とする
請求項２
（４）訂正事項４
　明細書の段落【００１７】に「ボウル内の上限水位を設定するダムプレート」とあるのを、「
ボウルの半径方向における位置を調整することにより、
となる分離水排出口での堰高さ
（５）訂正事項５
　明細書の段落【００１７】に「回転軸心方向前方に張り出す鍔部を有する」とあるのを、「回転軸心方向前方に張り出す鍔部を有
し、
　鍔部は、カバー部材の内周縁に掛かるように張り出す
（６）訂正事項６
　明細書の段落【００１９】に「本発明の遠心分離機において、鍔部は、カバー部材の内周縁に掛かるように張り出すことを特徴とする。」とあるのを、削除する。
２　訂正要件の判断
（１）訂正事項１について
　訂正事項１は、訂正前の請求項１を削除するものであるから、「特許請求の範囲の減縮」を目的とするものであって、願書に添付した明細書、特許請求の範囲又は図面に記載した事項の範囲内においてしたものであり、また、実質上特許請求の範囲を拡張し、又は変更するものではない。
（２）訂正事項２について、
　訂正事項２は、請求項２を独立した形に書き下して請求項１との引用関係を解消した上で、さらに、訂正前の請求項１に記載された「ボウル内の上限水位を設定するダムプレート」を、「
ボウルの半径方向における位置を調整することにより、
となる分離水排出口での堰高さ
　そして、願書に添付された明細書の段落【００２８】には、「各分離水排出口１１２には、図２に示すようにダムプレート（堰板）１１２ａが各分離水排出口の開口の一部を覆って、かつボウル１０６の半径方向に一調整可能に装着されている。ダムプレート１１２ａは、図３に示すように、越流縁に流れ方向前方に張り出す鍔部１１２ｂを有しており、ボウル１０６の半径方向における位置を調整することにより、ボウル１０６における分離水Ｗの上限水位となる分離水排出口１１２での堰高さを設定する。」と記載されているから、訂正事項２の「ボウルの半径方向における位置を調整することにより、ボウル内の上限水位となる分離水排出口での堰高さを設定するダムプレート」と限定する訂正は、願書に添付した明細書、特許請求の範囲又は図面に記載した事項の範囲内においてしたものであり、また、実質上特許請求の範囲を拡張し、又は変更するものではない。
（３）訂正事項３について
　訂正事項３は、訂正前の請求項３において選択的に引用している請求項の一部を削除するものであるから、「特許請求の範囲の減縮」を目的とするものであって、願書に添付した明細書、特許請求の範囲又は図面に記載した事項の範囲内においてしたものであり、また、実質上特許請求の範囲を拡張し、又は変更するものではない。
（４）訂正事項４〜６について
　訂正事項４〜６は、訂正事項１〜３に係る訂正に伴い、特許請求の範囲の記載と発明の詳細な説明の記載を整合させるための訂正であるから、明瞭でない記載の釈明を目的とするものであり、願書に添付された明細書、特許請求の範囲又は図面に記載した事項の範囲内においてしたものであり、また、実質上特許請求の範囲を拡張し、又は変更するものではない。
（５）一群の請求項について
　訂正前の請求項２及び３は、訂正前の請求項１を引用するものであるから、訂正事項１〜３に係る特許請求の範囲の訂正は、一群の請求項１〜３について請求されたものである。また、訂正事項４〜６に係る明細書の訂正は、この一群の請求項全てについて請求されたものである。
３　小括
　以上のとおりであるから、本件訂正は特許法第１２０条の５第２項ただし書き第１号、第３号及び第４号に掲げる事項を目的とするものであり、かつ、同条第４項、及び、同条第９項において準用する同法第１２６条第４項〜第６項までの規定に適合する。
　したがって、特許請求の範囲及び明細書を、訂正請求書に添付された訂正特許請求の範囲及び訂正明細書のとおり、訂正後の請求項〔１〜３〕について訂正することを認める。
第３　訂正後の本件発明
　上記「第２　訂正の適否についての判断」のとおり訂正を認めたので、訂正後の請求項２及び３に係る発明（以下、「本件発明２」及び「本件発明３」という。）は、次の事項により特定されるとおりのものである（下線部は訂正箇所である。）。
【請求項２】
　
回転軸心周りに回転して処理対象汚泥を遠心力で分離水と脱水ケーキに固液分離するボウルと、ボウルの回転軸心方向の一端側の端部壁に設けた分離水排出口と、ボウルの回転軸心方向の他端側に設けた脱水ケーキ排出口と、ボウル内で前記回転軸心回りに回転してボウルの内周面上で脱水ケーキを脱水ケーキ排出口に向けて移送するスクリューコンベアと、ボウルを覆って配置するハウジングを備え、
　ボウルの前記端部壁の外面とハウジングの内面との間にカバー部材を設け、カバー部材とハウジングの内面との間に分離水排水空間を形成し、カバー部材がボウルの前記端部壁の外面における分離水排出口からボウル径方向の外側域を分離水排水空間から隔て、
　ボウルの半径方向における位置を調整することにより、ボウル内の上限水位となる分離水排出口での堰高さを設定するダムプレートを、各分離水排出口の開口の一部を覆って配置し、
　ダムプレートは、前記分離水が越流する越流縁に、前記分離水の越流方向である前記回転軸心方向前方に張り出す鍔部を有し、
　鍔部は、カバー部材の内周縁に掛かるように張り出すことを特徴とす
る遠
【請求項３】
　カバー部材は、ボウルの外周面上にまで延び広がっていることを特徴とする
請求項２
第４　取消理由通知に記載した取消理由について
１　取消理由の概要
　訂正前の請求項１〜３に係る特許に対して、当審が平成３０年６月２５日付けで特許権者に通知した取消理由の要旨は、次のとおりである。
取消理由
　訂正前の請求項１〜３に係る発明は、甲第３号証に記載された発明、並びに、甲第１号証及び甲第２号証に記載された事項に基いて、当業者が容易に発明をすることができたものであって、特許法第２９条第２項の規定により特許を受けることができないものであるから、訂正前の請求項１〜３に係る特許は取り消すべきものである。　
甲各号証一覧
　甲第１号証：特開平１１−１９７５４７号公報
　甲第２号証：米国特許出願公開第２００４／００７２６６８号明細書
　甲第３号証：特開２００９−１３６７９０号公報
２　甲各号証等の記載事項
（１）甲第３号証の記載事項及び甲第３号証に記載された発明
ア　甲第３号証の記載事項
　甲第３号証には以下の記載がある（なお、下線は当審が付与したものであり、「・・・」は記載の省略を表す。以下同様。）。
（ア）「【請求項１】
　
対向する両端部に重質分排出口と軽質分排出口を有する回転筒状体であり、内部に供給された被処理液中の固形物を遠心力の作用により沈降物と浮遊物とに分けるためのボウルと、前記ボウルに内挿されたスクリューコンベアと、を有し、
　
前記沈降物をスクリューコンベアで重質分排出口に移送して脱水し排出する
　
前記ボウルの端側壁部を貫通する軽質分排出口内に、ボウルの回転軸側に向かって傾斜した溢流案内傾斜面を有するダム形成部材を設けた
（イ）「【０００４】
　ここで、
デカンタは固液分離に使用される遠心分離装置である
（ウ）「【０００７】
　さらに従来のデカンタにおいては、例えば図７に示すように、排出口１５に堰１６を設けてプール部１３の液深を調節することが行なわれているが（例えば、特許文献１参照）、この場合、堰１６のエッジ部に固形分が引っ掛かって益々滞積し易くなる。」
（エ）「【０００９】
　・・・本発明の目的には、横型遠心分離装置を用いて固形物を重質分と軽質分とに分離するにあたり、プール部から溢流する固形分を含む液を速やかに排出して、排出口に固形分が滞積するのを防止することが一例として挙げられる。」
（オ）「【００２１】
　本実施形態による横型遠心分離装置は、例えば図１に示すように、
下方に重質分出口２１と軽質分出口２２を有するケーシング２の内部に、回転筒状体をなすボウル３と、スクリューコンベア４と、固形物を含む被処理液を供給するための供給ノズル５が設けられている。
（カ）「【００２２】
　ボウル３の胴部は、一端側が円筒状に形成され、他端側がコニカル状に形成されている。そして
一端側の開口部は、本明細書においてフロントハブ３１と称する円形部材によって塞がれている。
（キ）「【００２３】
　
フロントハブ３１には、軽質分を含むスラリー状の液が溢流して排出される軽質分排出口３５が形成されている。軽質分排出口３５は、フロントハブ３１を厚み方向に貫通する円形状の開口部であって、
（ク）「【００２４】
　さらに、前記フロントハブ３１に形成された軽質分排出口３５内には、ボウル３の回転軸側に向かって傾斜した溢流案内傾斜面６１を有するダム形成部材６が設けられている。
ダム形成部材６について詳しくは、例えば図３に示すように、その外径Ｒ１（例えば３５４ｍｍ）が軽質分排出口３５の内径と略一致する円柱部材を斜めに切り欠いて形成された溢流案内傾斜面６１を有する傾斜部材が、フランジ部６２と一体成形された構成である。
（ケ）「【００２５】
　前記ダム形成部材６の長さＬ２は例えばフロントハブ３１の厚みと同じに設定されており、長さＬ３は溢流案内傾斜面６１がフロントハブ３１の端面より外側に延出する長さに設定されている。すなわち、
ダム形成部材６を軽質分排出口３５内に嵌合した際に、溢流案内傾斜面６１が、少なくとも軽質分排出口３５の入口端から出口端に跨りさらにフロントハブ３１の端面より外側に延出するように設定されている。このように、延出部を設けることによって、フロントハブ３１に排出液が直接触れることによる動力消費を防止することができるという利点がある。この利点をさらに確実なものとするため、延出部の端面下方を切り欠いて庇（ひさし）６４を形成するのが好ましい。
（コ）「【００２８】
　・・・例えば固形物に廃プラスチックを適用する場合、予め１５ｍｍ程度に廃プラスチックを破砕し、例えば
水などの被処理液
（サ）「【００３０】
　・・・
軽質分を含む液は、図４に模式的に示すように、ダム形成部材６の溢流案内傾斜面６１に案内されて速やかに排出される。
（シ）「【００３２】
　
さらに上述の実施形態によれば、脱着可能なダム形成部材６としたことにより、例えば固液分離に用いられる既存の横型遠心分離装置を大幅に改造することなく、当該装置を廃プラスチックの選別装置として適用可能にすることができる。
イ　甲第３号証に記載された発明
　上記ア（ア）、（イ）、（オ）〜（シ）の記載から、甲第３号証には、次の発明（以下、「甲３発明」という。）が記載されていると認められる。
　「回転筒状体であり、内部に供給された水中の固形物を遠心力の作用により沈降物と浮遊物とに分けるためのボウルと、ボウルの端側壁部であるフロントハブを貫通する軽質分排出口と、軽質分排出口と対向する端部に設けられた重質分排出口と、ボウルに内挿され、前記沈降物を重質分排出口に移送して脱水し排出するスクリューコンベアと、内部にボウルが設けられたケーシングを備え、前記フロントハブを貫通する軽質分排出口内に、溢流案内傾斜面により前記浮遊物を含む水を案内し排出するダム形成部材を嵌合し、ダム形成部材は、フロントハブより外側に延出するように形成されているとともに、延出部の端面下方を切り欠いて庇（ひさし）を形成することにより、フロントハブに排出水が直接触れることによる動力消費を防止することができる、固液分離にも使用可能な横型遠心分離装置。」
（２）参考資料１の記載事項
　申立人が意見書に添付して提出した参考資料１（国際公開第２０１３／０１７２２３号）には、以下の記載がある。
ア　「A rotating machine according to claim 1 , characterized by slots (19) being provided in said liquid phase discharge port member (14, 22) to adjust said liquid phase discharge port member (14, 22) in radial direction. 」（請求項８）
（申立人による訳：当該の液体相排出ポート部材（１４，２２）に、この液体相排出ポート部材（１４，２２）を半径方向に調整するためのスロット（１９）が配備されていることを特徴とする請求項１の回転機械。）
イ　「Further there can be seen slots 19 in flange 20 which allow to adjust the liquid phase discharge member 14 to a specific level in the bowl. 」（第５頁第１３〜１５行）
（申立人による訳：更に、フランジ２０には、液体相排出部材１４をボウル内の特定の水準に調整することを可能とするスロット１９が見て取れる。）
（３）参考資料２の記載事項
　申立人が意見書に添付して提出した参考資料２（米国特許第６８６０８４５号明細書）には、以下の記載がある。
ア　「Specifically, the end plate 92 includes four generally rectangular shaped openings 94 , and slotted plates 96 partially cover the openings 94 . The locations of the slotted plates 96 can be adjusted as required to a selected pool depth for withdrawing the second liquid phase component 18 (water). 」（第６欄第２８〜３３行）
（申立人による訳：具体的には、エンドプレート９２は、４つの概ね矩形の開口９４を含み、溝付きプレート９６は開口９４を部分的に覆う。溝付きプレート９６の位置は、第２の液相成分１８（水）を抜き出すために選択されたプール深さに必要に応じて調整することができる。）
３　対比・判断
　本件発明２と甲３発明を対比する。甲３発明における「水中の固形物」、「ボウル」、「フロントハブ」、「スクリューコンベア」、「ケーシング」及び「横型遠心分離装置」は、それぞれ、本件発明２における「処理対象」、「ボウル」、「端部壁」、「スクリューコンベア」、「ハウジング」及び「遠心分離機」に相当する。
　そして、甲３発明における「浮遊物を含む水」は遠心力で分離された水であることから、本件発明２における「分離水」に相当するといえ、また、甲３発明における「軽質分排出口」は本件発明２における「分離水排出口」に相当する。
　また、甲３発明における「沈降物」は遠心力による脱水物という点で本件発明２における「脱水ケーキ」と共通する。
　また、甲３発明における「ダム形成部材」は、浮遊物を含む被処理液を案内し排出する部材であることから、ボウル内の上限水位を設定する機能を有すると認められるとともに、軽質分排出口内に嵌合されるものであるから軽質分排出口の開口の一部を覆って配置されているといえる。してみれば、甲３発明における「ダム形成部材」は、本件発明２における「ダムプレート」に相当する。
　さらに、甲３発明における「ダム形成部材」は「溢流案内傾斜面により前記浮遊物を含む被処理液を案内し排出する」部材であることから、「ダム形成部材」に形成されている「ボウルの端側壁面より外側に延出するように形成されている」部分及び「庇（ひさし）」は、浮遊物を含む被処理液が越流する越流縁に形成されていると認められる。してみれば、甲３発明における「ボウルの端側壁面より外側に延出するように形成されている」部分及び「庇（ひさし）」は、本件発明２における「分離水の越流方向である前記回転軸心方向前方に張り出す鍔部」に相当する。
　以上のことから、本件発明２と甲３発明との一致点及び相違点は、次のとおりと認められる。
（一致点）
　「回転軸心周りに回転して処理対象を遠心力で分離水と脱水物に分離するボウルと、ボウルの回転軸心方向の一端側の端部壁に設けた分離水排出口と、ボウルの回転軸心方向の他端側に設けた脱水物排出口と、ボウル内で前記回転軸心回りに回転してボウルの内周面上で脱水物を脱水物排出口に向けて移送するスクリューコンベアと、ボウルを覆って配置するハウジングを備え、ボウル内の上限水位を設定するダムプレートを、各分離水排出口の開口の一部を覆って配置し、ダムプレートは、前記分離水が越流する越流縁に、前記分離水の越流方向である前記回転軸心方向前方に張り出す鍔部を有する遠心分離機。」である点。
（相違点１）
　本件発明２は、「ボウルの前記端部壁の外面とハウジングの内面との間にカバー部材を設け、カバー部材とハウジングの内面との間に分離水排水空間を形成し、カバー部材がボウルの前記端部壁の外面における分離水排出口からボウル径方向の外側域を分離水排水空間から隔て」、また、ダムプレートの鍔部は「カバー部材の内周縁に掛かるように張り出す」のに対して、甲３発明はそのような構成を有しない点。
（相違点２）
　本件発明２は、処理対象を「汚泥」とし、脱水物として「脱水ケーキ」を「固液」分離するのに対して、甲３発明は処理対象を「水中の固形物」とし、脱水物として「沈降物」（重質分）を分離する点。
（相違点３）
　本件発明２における「ダムプレート」は、ボウルの半径方向における位置を調整することで分離水排出口での堰高さを設定できるのに対し、甲３発明の「ダム形成部材」は、位置調整機能を有しない点。
　事案に鑑み、まず、相違点３について検討する。
　甲３発明の「ダム形成部材」は、上記２（１）ア（ク）に記載されているように、その外径が軽質分排出口の内径と略一致する円柱部材を斜めに切り欠いて形成された傾斜部材と、フランジ部とが一体成形された構成を有し、同（キ）及び同（ケ）に記載されているように、円形状の軽質分排出口に嵌合するように取り付けられるものである。そのため、甲３発明におけるダム形成部材は、その傾斜部材がフロントハブに形成された軽質分排出口と嵌合する位置にのみ取り付けられるものであり、その位置を調整することはできない。
　ここで、申立人は、平成３０年１０月３日付けの意見書において、訂正により新たに生じた相違点「ボウルの半径方向における位置を調整することにより、ボウル内の上限水位となる分離水排出口での堰高さを設定するダムプレート」については、参考資料１及び参考資料２に記載されているとおり周知の技術であり、当該周知の技術の適用の動機付けがあることから、本件発明２及び３は、依然として、甲第１号証〜甲第３号証に記載の発明により進歩性を有さず、取り消されるべきものである旨主張している。しかし、甲３発明における「ダム形成部材」を、申立人が主張するような位置調整可能なダムプレートに変更することは、前記２（１）ア（ウ）及び（エ）の記載より甲３発明の目的に反し、阻害要因がある。
　したがって、その余の相違点について検討するまでもなく、本件発明２は、甲３発明、甲第１号証及び甲第２号証に記載された事項、並びに、本件特許に係る出願の出願日前における周知技術に基いて当業者が容易に発明をすることができたものではない。
　また、本件発明３は、本件発明２を引用し、本件発明２の発明特定事項を全て有する発明であるから、本件発明２と同様に、甲３発明、甲第１号証及び甲第２号証に記載された事項、並びに、本件特許に係る出願の出願日前における周知技術に基いて当業者が容易に発明をすることができたものではない。
４　小括
　よって、取消理由通知に記載した取消理由によっては、訂正後の請求項２及び３に係る特許を取り消すことはできない。
第５　取消理由通知において採用しなかった特許異議申立理由について
１　申立理由の概要
　申立人は、甲第１号証を主たる証拠として、訂正前の本件請求項１〜３に係る発明は、甲第１〜３号証に記載された発明に基いて、当業者が容易に発明をすることができたものであって、特許法第２９条第２項の規定により特許を受けることができないものであるから、訂正前の請求項１〜３に係る特許は取り消すべきものである旨主張している。
２　甲各号証等の記載事項
（１）甲第１号証の記載事項及び甲第１号証に記載された発明
ア　甲第１号証の記載事項
　甲第１号証には以下の記載がある。
（ア）「【請求項１】　高速回転されるボウル内に、該ボウルと相対速度差をもって回転されるスクリューコンベアを収容し、スクリューコンベアの一端側より汚泥を供給して固液分離し、他端側から濃縮汚泥等を、一端側から分離水を排出するようにした遠心分離機において、ボウルの端板に開設した分離水の排出孔に対応して、分離水の排出水位を設定するせき縁を有するせき板部と、排出孔よりの分離水の排出流を端板の外周方向に指向させる変流板部とよりなるせき部材を取り付けるとともに、そのせき部材の外方の端板面に、せき部材により変流した分離水と衝当する羽根板を突設したことを特徴とする、横型遠心分離機における分離水の排出装置。」
（イ）「【０００３】・・・分離水Ｃは、ボウル２の後端に設けた端板10に設けられた複数個の円形の排出口11より流出するようになっており、そして、この排出口11にはせき板15を取り付けて水面の位置（分離水のオーバーフロー位置）を設定できるようにしてある。」
（ウ）「【０００９】本発明装置の設けられる遠心分離機は、すでに説明したように（図８参照）、ケーシング１の中に、ボウル２と中空の回転胴４の外周にスクリュー５を有するスクリューコンベア３が、ボウル２と僅かな相対速度差をもって回転されるように収容されている。そして、汚泥ａは、回転胴４の一端より突設された中空軸６より挿通された供給管７よりボウル２と回転胴４との間の環状空間８の前後中央部に放出され、遠心力により分離された濃縮汚泥等ｂはスクリュー５により円錐状の先端部に送られて汚泥等排出口９より排出され、分離水ｃはボウル２の後端より排出されるようになっている。」
（エ）「【００１０】・・・ボウル２の後端には、従来機におけるように、スクリューコンベア３の回転胴４の後端と水密に摺接する端板10が設けられ、それに突設した支軸12が、回転胴４の中空軸６に外挿されている。そして、端板10には、その周方向に間隔をおいて複数の円形等の分離水の排出孔11ａが開設されており、排出孔11ａはケーシング１の一端に設けられた分離水の回収室13内に臨んでいる。」
（オ）「【００１１】また、端板10の外面には、排出孔11ａに対するせき部材15ａが、ボルトなどにより着脱自在に取り付けられている。このせき部材15ａは、図３にも示すように、排出孔11ａに臨むせき縁19を有する開口18を備え、排出孔11ａより十分大きく形成されたせき板部16と、その一端から、分離水の排出方向である前方に、せき板部16と所要の間隔を有して開口18に対向して延びる分離水の変流板部17とにより形成されており、せき縁19を越流した分離水が変流板部17に衝当して、その流れが端板10の外周方向に指向されるようになっている。」
（カ）「【００１２】そして、端板10の外周部である、端板10の外周とせき部材15ａとの間には、せき部材15ａより外周方向に変流した分離水と衝当してそのエネルギーを回収するための羽根板20が、端板10の径方向線に対し傾斜して、端板の外面に間隔をおき起立状に突設されている。」
（キ）「【００１３】上記構成の装置によれば、排出孔11ａよりせき縁19を越えて排出される分離水は、その軸方向への排出力とボウル２の回転にともなう遠心力によって、図２の矢印で示すように、回転方向斜め前方に向けて高速で排出されるが、その分離水は、せき部材15ａに設けられた変流板部17に当たって端板10の外周方向に流れを変え、その先にある羽根板20に衝当し、その力がボウル２にその回転方向と同方向の回転力を付与することになる。したがって、その回転力を付与された分だけボウル２を回転させるための動力が軽減される結果となる。」
（ク）「【００１８】なお、上記各せき部材15ａ，15ｂは、これを取り付けた際、そのせき縁19が排水孔11ａ，11ｂの中にどれだけ突出しているかによって排出水位が決まるので、せき縁19の位置の異なる各種のせき部材15ａ，15ｂを着け換えることにより、所望の排出水位に対応させることができる。」
（ケ）「【図８】
」
イ　甲第１号証に記載された発明
　上記ア（ウ）及び（ケ）の記載から、甲第１号証に記載された横型遠心分離機において、円筒状のボウルは、その長さ方向を回転軸心として回転するものであり、また、スクリューコンベアは、ボウル８と同一の回転軸心周りに回転するものであると認められる。
　そして、上記ア（ア）〜（ケ）の記載から、甲第１号証には、次の発明（以下、「甲１発明」という。）が記載されていると認められる。
「回転軸心周りに高速回転し、汚泥等を遠心力により濃縮汚泥又は脱水ケーキと分離水に固液分離するボウルと、ボウル内に配置され、前記回転軸心周りに、ボウルと相対速度差をもって回転することにより、前記濃縮汚泥又は脱水ケーキをボウルの先端部に向けて送るスクリューコンベアと、ボウルの先端部に設けられた濃縮汚泥等排出口と、ボウルの後端に設けた端板に設けられた分離水の排出孔と、ボウルを収容するケーシングを備え、前記排出孔には、分離水の排出水位を設定するせき縁を有するせき板部と、排出孔よりの分離水の排出流を端板の外周方向に指向させる変流板部とよりなるせき部材が取り付けられ、端板の外周とせき部材との間に、せき部材により変流した分離水と衝当する羽根板が突設されている、横型遠心分離機。」
（２）甲第２号証の記載事項
　甲第２号証には以下の記載がある。
ア　「[0002] In bowl of a decanter centrifuge, solid-liquid separation takes place in a rotating pool that is maintained by a set of semi-circular weirs. The settled solid cake (hereafter referred as heavy phase) is conveyed toward a conical beach at one end of the rotating bowl by a screw conveyor, which rotates at a differential speed compared with the bowl, while the clarified liquid containing unsettled fine solids or the light phase (hereafter simply referred as liquid or liquid phase) overflows the weirs at the large end of the machine opposite the conical beach. 」
（申立人による訳：デカンタ式遠心分離機のボウルでは、固液分離が一連の半円形状堰によって持続される回転プール内で行われる。沈降した固形ケーキ（以下、重質相と称する）は、ボウルとは回転速度が異なるスクリューコンベアによって回転ボウル一端の円錐ビーチに向かって搬送され、分離された微小な固形物又は軽い相を含む澄んだ液体（以下、単に液体又は液相という）は、円錐ビーチの反対側の機械の大きな端部で堰からオーバーフローする。）
イ　「[0104] FIG. 12A is a sectional view of a conventional centrifuge with a weir plate 288 disposed over an opening 290 in a bowl head 292 to control the location of a pool level 289 . Bowl head 292 is an end wall of a bowl 304 rotatable about a machine axis 293 . As indicated by a first arrow 294 , effluent liquid is discharged into a space 296 between a case wall 298 and bowl head 292 . As indicated by additional arrows 300 , the discharged liquid hits the case wall 298 and bounces back towards the bowl head 292 to be re-accelerated thereby. The discharged liquid also hits an outer cylindrical surface 302 of the bowl 304 and is further reaccelerated. The liquid is drained away along a channel 303 between case wall 298 and a baffle 305 parallel thereto. 」
（申立人による訳：図１２Ａは、プールレベル２８９の位置を制御するためにボウルヘッド２９２の開口部２９０の上に配置された堰プレート２８８を備えた従来の遠心分離機の断面図である。ボウルヘッド２９２は、マシーン軸２９３の周りで回転可能なボウル３０４の端壁である。第１の矢印２９４で示すように、流出液は、ケース壁２９８とボウルヘッド２９２との間の空間２９６に排出される。付加的な矢印３００によって示されるように、排出された液体はケース壁２９８に衝突し、再びボウルヘッド２９２に向かって跳ね返されることにより再加速される。排出された液体はまた、ボウル３０４の外側の円筒面３０２に衝突し、さらに加速される。液体は、ケース壁２９８とこれに平行なバッフル３０５との間のチャネル３０３に沿って排出される。）
ウ　「[0105] FIG. 12B shows a baffle system installed in the centrifuge assembly of FIG. 12A for purposes of conserving energy. An annular baffle 306 is provided alongside and parallel to bowl head 292 to establish, with case wall 298 , a compartment or gutter 308 that catches the liquid effluent as it is discharged through opening 290 . Case wall 298 defines an outer surface or panel of compartment or gutter 308 and may take the form of an outer baffle. The baffle system includes another baffle 310 that in part is cylindrical and functions to shield the flow from contacting the outer cylindrical surface 302 of bowl 304 to prevent reacceleration of the discharged liquid thereby. Baffles 306 and 310 prevent discharged effluent liquid from recontacting any rotating surface. Case wall or outer panel 298 and baffle 306 may be planar or contoured members. 」
（申立人による訳：図１２Ｂは、エネルギー節約を目的として、図１２Ａの遠心分離機アセンブリに設置されたバッフルシステムを示す図である。環状バッフル３０６は、ボウルヘッド２９２に沿って平行に設けられ、ケース壁２９８と共に、開口２９０を通って排出される液体流出物を捕捉する区画または溝３０８を形成する。ケース壁２９８は、区画または溝３０８の外面またはパネルを確定し、外側バッフルの形態をとることができる。バッフルシステムは、部分的に円筒形であり、排出された液体の再加速を防止するために、流れがボウル３０４の外側円筒面３０２に接触するのを遮蔽するように機能する別のバッフル３１０を含む。バッフル３０６および３１０は、排出された流出液が回転表面に再接触することを防止する。ケース壁または外側パネル２９８およびバッフル３０６は、平面または屈曲した部材であってもよい。）
３　対比・判断
　本件発明２と甲１発明を対比すると、甲１発明の「汚泥等」、「濃縮汚泥又は脱水ケーキ」、「ボウルの先端部に設けられた濃縮汚泥等排出口」、「ボウルの後端に設けた端板」、「分離水の排出孔」及び「ケーシング」は、それぞれ、本件発明２の「処理対象汚泥」、「脱水ケーキ」、「ボウルの回転軸心方向の他端側に設けた脱水ケーキ排出口」、「ボウルの回転軸心方向の一端側の端部壁」、「分離水排出口」及び「ハウジング」に相当する。
　また、甲１発明における「せき部材」は、分離水の排出孔に取り付けられる点、及び、せき板部に設けられたせき縁により分離水の排出水位を設定するものである点で、本件発明２の「ダムプレート」と共通する。
　以上のことから、本件発明２と甲１発明との一致点及び相違点は、次のとおりと認められる。
（一致点）
「回転軸心周りに回転して処理対象汚泥を遠心力で分離水と脱水ケーキに固液分離するボウルと、ボウルの回転軸心方向の一端側の端部壁に設けた分離水排出口と、ボウルの回転軸心方向の他端側に設けた脱水ケーキ排出口と、ボウル内で前記回転軸心回りに回転してボウルの内周面上で脱水ケーキを脱水ケーキ排出口に向けて移送するスクリューコンベアと、ボウルを覆って配置するハウジングを備え、ボウル内の上限水位となる分離水排出口での堰高さを設定するダムプレートを、各分離水排出口の開口の一部を覆って配置する遠心分離機。」
（相違点１）
　本件発明２は、「ボウルの前記端部壁の外面とハウジングの内面との間にカバー部材を設け、カバー部材とハウジングの内面との間に分離水排水空間を形成し、カバー部材がボウルの前記端部壁の外面における分離水排出口からボウル径方向の外側域を分離水排水空間から隔て」、また、「ダムプレートは、前記分離水が越流する越流縁に、前記分離水の越流方向である前記回転軸心方向前方に張り出す鍔部を有し、鍔部は、カバー部材の内周縁に掛かるように張り出す」のに対し、甲１発明はそのような構成を有しない点。
（相違点２）
　本件発明２における「ダムプレート」は、ボウルの半径方向における位置を調整可能であるのに対し、甲１発明の「せき部材」は位置調整可能ではなく、せき縁の位置の異なるせき部材を付け替えることにより所望の排出水位を設定するものである点。
　相違点１について検討する。申立人は、異議申立書において、「ボウルの前記端部壁の外面とハウジングの内面との間にカバー部材を設け」、「カバー部材とハウジングの内面との間に分離水排水空間を形成し」、「カバー部材がボウルの前記端部壁の外面における分離水排出口からボウル径方向の外側域を分離水排水空間から隔て」ることは、いずれも甲２号証に「バッフル」として記載されている旨を指摘する。
　しかし、甲１発明は、ボウルの排出孔から排出され、せき部材により外周方向に変流させられた分離水を、端板に突設された羽根板に衝当させてそのエネルギーを回収するものであり、一方、甲第２号証に記載された遠心分離機は、ボウルから排出された流出液がボウルの端板を含む回転表面に再接触することを防止するためにバッフルを設けたものである。そして、ボウルから排出された分離水を端板に突設された羽根板に衝当させることと、バッフルを設けて分離水の端板への再接触を防止することとは両立し得ないから、甲第２号証に記載された、ボウルの前記端部壁の外面とハウジングの内面との間にカバー部材を設け、カバー部材とハウジングの内面との間に分離水排水空間を形成し、カバー部材がボウルの前記端部壁の外面における分離水排出口からボウル径方向の外側域を分離水排水空間から隔てる構成を、甲１発明において採用することには、阻害要因がある。
　したがって、その余の相違点について検討するまでもなく、本件発明２は、甲１発明、並びに、甲第２号証及び甲第３号証に記載された事項に基いて当業者が容易に発明をすることができたものではない。
　また、本件発明３は、本件発明２を引用し、本件発明２の発明特定事項を全て有する発明であるから、本件発明２と同様に、甲１発明、並びに、甲第２号証及び甲第３号証に記載された事項に基いて当業者が容易に発明をすることができたものではない。
４　小括
　よって、特許異議申立書に記載された特許異議申立理由によっては、訂正後の請求項２及び３に係る特許を取り消すことはできない。
第６　むすび
　以上のとおりであるから、取消理由通知に記載した取消理由及び特許異議申立書に記載された特許異議申立理由によっては、本件請求項２及び３に係る特許を取り消すことはできない。また、他に本件請求項２及び３に係る特許を取り消すべき理由を発見しない。
　また、請求項１に係る特許は、上記のとおり、訂正により削除された。これにより、申立人による特許異議の申立てについて、請求項１に係る申立ては、申立ての対象が存在しないものとなったため、特許法第１２０条の８第１項で準用する同法第１３５条の規定により却下する。
　よって、結論のとおり決定する。
【異議決定日】
平成３０年１０月３１日（２０１８．１０．３１）
【訂正の要旨】
審決（決定）の【理由】欄参照。
（５４）【発明の名称】
遠心分離機
　【技術分野】
　【０００１】
　本発明は遠心分離機に関し、ボウルと排出後の分離水との干渉を抑制する技術に係るものである。
　【背景技術】
　【０００２】
　従来、例えば下水処理過程で発生する汚泥を処理する装置として、遠心脱水機や遠心濃縮機等の遠心分離機がある。
　遠心脱水機は、汚泥を高速回転させることで、汚泥分と水分を比重差によって分離し、脱水するものであり、例えば図４から図６に示すものがある。
［構成］
　この遠心脱水機では、主構造部材１が建屋の設置床面２の上に防振ゴム３を介して設置してあり、主構造部材１の上に配置する脱水本体部４を軸受け部５ａ、５ｂで支持している。
　【０００３】
　脱水本体部４は、円筒状のボウル６とボウル６の内部に配置する内胴７とを同心状に有し、ボウル６の回転軸心方向の両端の回転軸部６ａ、６ｂと、内胴７の回転軸心方向の両端の回転軸部７ａ、７ｂとが回転可能に支持されており、同心状に配置されたボウル６と内胴７は同じ回転軸心周りに回転可能である。
　【０００４】
　内胴７は外周面に回転軸心周りに螺旋状に設けた羽根８を有してスクリューコンベア９を構成している。ボウル６は回転軸心方向の一端側が直胴部１０をなし、他端側がボウル端部に向けて先細るコーン部１１をなす。直胴部１０は主として分離した水分の分離水Ｗが滞留する分離水領域部を形成しており、直胴部１０の回転軸心方向の一端側の端部壁１０ａには複数の分離水排出口１２が回転軸心から等距離の位置に、かつ回転軸心周りに所定間隔で配置されている。各分離水排出口１２には、図５に示すようにダムプレート（堰板）１２ａがボウル６の半径方向に位置調整可能に装着されており、ボウル６の半径方向におけるダムプレート１２ａの位置を調整することにより、ボウル６における分離水Ｗの上限水位となる分離水排出口１２での堰高さを設定する。
　【０００５】
　コーン部１１は主として分離した汚泥分の脱水ケーキＫを移送する脱水ケーキ領域部を形成しており、コーン部１１の他端側の周壁には複数の脱水ケーキ排出口１３が回転軸心を中心とする放射状の位置に、かつ回転軸心周りに所定間隔で配置されている。
　【０００６】
　脱水本体部４は、内胴７がボウル６に対して所定の差速で、つまり回転数差をもって回転して、スクリューコンベア９がボウル６の内周面上で脱水ケーキＫをコーン部１１の他端側に向けて移送する。
　【０００７】
　脱水本体部４を覆って配置するハウジング１４は主構造部材１に固定してあり、直胴部１０の分離水排出口１２を囲む部位に下方に向けて開口する分離水放出口１５を有し、コーン部１１の脱水ケーキ排出口１３を囲む部位に下方に向けて開口する脱水ケーキ放出口１６を有している。
　【０００８】
　一方の軸受け部５ａで支持された直胴部１０の側の回転軸部６ａにはボウル６を回転駆動する主駆動用プーリー１７が設けてあり、主駆動用プーリー１７は駆動モータ（図示せず）に連結されている。軸受け部５ｂで支持されたコーン部１１の側の回転軸部６ｂを貫通する内胴７の回転軸７ｂには減速機１８を接続し、減速機１８の入力軸１８ａに差速駆動用プーリー１９を設けており、差速駆動用プーリー１９は駆動モータ（図示せず）に連結されている。
　【０００９】
　汚泥供給管２０は、軸受け部５ａで支持された直胴部１０の側の回転軸部６ａを貫通して内胴７の内部に挿入されており、先端開口２０ａが内胴７の汚泥投入部２１の壁面に対向している。薬剤供給管２２は、汚泥供給管２０の内部に挿入されており、先端開口２２ａが内胴７の汚泥投入部２１の壁面に対向している。
　【００１０】
　内胴７の汚泥投入部２１の周壁には直胴部１０の内部に向けて開口する複数の汚泥投入口２１ａが回転軸心を中心とする放射状の位置に、かつ回転軸心周りに所定間隔で配置されている。
［作用］
　原汚泥Ｓを汚泥供給管２０を通して高速回転する内胴７の汚泥投入部２１に供給するとともに、高分子凝集剤Ｃを薬剤供給管２２を通して高速回転する内胴７の汚泥投入部２１に供給して混合し、原汚泥Ｓと高分子凝集剤Ｃの混合汚泥を汚泥投入部２１の汚泥投入口２１ａから高速回転するボウル６の内部に投入する。
　【００１１】
　ボウル６の内部で凝集した汚泥フロックＦを含む混合汚泥は、遠心力により分離水Ｗと脱水ケーキＫとに固液分離される。ボウル６とわずかの回転数差（差速）をもつスクリューコンベア９が脱水ケーキＫをコーン部１１に移送し、脱水ケーキＫはコーン部１１を移動する間に含水率がさらに低下し、脱水ケーキ排出口１３からハウジング１４の内部に排出され、脱水ケーキ放出口１６から機外へ放出される。
　【００１２】
　分離水Ｗは直胴部１０の分離水排出口１２からダムプレート１２ａを越流してハウジング１４の内部に排出され、分離水放出口１５から機外へ放出される。
　他の遠心脱水装置としては、特許文献１に記載するものがあり、これは、直胴型遠心脱水装置であり、スクリューコンベアの回転胴の外周面がストレート部とストレート部から径大方向に傾斜したテーパー部からなり、回転胴のストレート部の内周面に無機凝集剤を供給する無機凝集剤供給経路を有し、且つストレート部には、無機凝集剤供給経路と連通し無機凝集剤添加用のオリフィスとボウルの環状空間内に突出する無機凝集剤添加用ノズルが設けられている。
　【先行技術文献】
　【特許文献】
　【００１３】
　【特許文献１】特開２０１２−１８７５７０号
　【発明の概要】
　【発明が解決しようとする課題】
　【００１４】
　しかしながら、図４から図６に示した構成において、直胴部１０の分離水排出口１２からハウジング１４の内部に排出される分離水Ｗは、遠心力を受けて回転軸心周りに放散されて、ハウジング１４と直胴部１０の端面および端部外周面との空間に飛散水が充満する水抵抗領域を形成する。
　【００１５】
　直胴部１０の端面および端部外周面と水抵抗領域との境界において、水抵抗領域にある分離水Ｗが直胴部１０の端面および端部外周面に付着し、あるいは衝突することで負荷となり、分離水がボウル６の回転に対して抵抗となり、ボウル６の回転に要する消費電力が増加する。
　【００１６】
　本発明は上記した課題を解決するものであり、ボウルから排出した分離水がボウルの回転に対して抵抗として作用することを防止して消費電力を抑制し、遠心分離機の駆動に要する電力消費量を低減することができる遠心分離機を提供することを目的とする。
　【課題を解決するための手段】
　【００１７】
　上記課題を解決するために、本発明の遠心分離機は、回転軸心周りに回転して処理対象汚泥を遠心力で分離水と脱水ケーキに固液分離するボウルと、ボウルの回転軸心方向の一端側の端部壁に設けた分離水排出口と、ボウルの回転軸心方向の他端側に設けた脱水ケーキ排出口と、ボウル内で前記回転軸心回りに回転してボウルの内周面上で脱水ケーキを脱水ケーキ排出口に向けて移送するスクリューコンベアと、ボウルを覆って配置するハウジングを備え、
　ボウルの前記端部壁の外面とハウジングの内面との間にカバー部材を設け、カバー部材とハウジングの内面との間に分離水排水空間を形成し、カバー部材がボウルの前記端部壁の外面における分離水排出口からボウル径方向の外側域を分離水排水空間から隔て、
　
ボウルの半径方向における位置を調整することにより、
となる分離水排出口での堰高さを
　ダムプレートは、前記分離水が越流する越流縁に、前記分離水の越流方向である前記回転軸心方向前方に張り出す鍔部を
有し、
　
鍔部は、カバー部材の内周縁に掛かるように張り出す
　【００１９】
　
本発明の遠心分離機において、
　【発明の効果】
　【００２０】
　以上のように本発明によれば、ボウルの分離水排出口からハウジングの内部に排出される分離水は、遠心力を受けて回転軸心周りに放散されて、カバー部材とハウジングの内面との間の分離水排水空間に飛散水が充満する。
　【００２１】
　カバー部材はボウルの端部壁の外面における分離水排出口よりボウル径方向の外側域を分離水排水空間から隔てるので、分離水排水空間にある分離水がボウルの端部壁の外面に付着したり、あるいは衝突することが少なく、ボウルから排出した分離水がボウルの回転に対して抵抗となることがなく、ボウルの回転に要する消費電力を抑制して遠心分離機の駆動に要する電力消費量を低減することができる。
　【００２２】
　また、ダムプレートが越流縁に流れ方向前方に張り出す鍔部を有することで、分離水排出口から排出する分離水は分離水排水空間に確実に導かれ、分離水がカバー部材とボウルの端部壁の外面との間に放散されることを防止できる。
　【００２３】
　また、カバー部材がボウルの外周面上にまで延び広がっていることで、ボウルから排出した分離水がボウルに付着したり、あるいは衝突することが確実になくなり、遠心分離機の駆動に要する電力消費量をさらに低減することができる。
　【図面の簡単な説明】
　【００２４】
　【図１】本発明の実施の形態における遠心分離機を示す断面図
　【図２】同遠心分離機の要部を示す拡大図
　【図３】同遠心分離機におけるダムプレートを示す斜視図
　【図４】従来の遠心分離機を示す断面図
　【図５】同遠心分離機の要部を示す拡大図
　【図６】同遠心分離機におけるダムプレートを示す斜視図
　【発明を実施するための形態】
　【００２５】
　以下、本発明の実施の形態の一例を図面に基づいて説明する。図１から図３において、遠心脱水機１００は、主構造部材１０１が建屋の設置床面１０２の上に防振ゴム１０３を介して設置してあり、主構造部材１０１の上に配置する脱水本体部１０４を軸受け部１０５ａ、１０５ｂで支持している。
　【００２６】
　脱水本体部１０４は、円筒直胴状のボウル１０６とボウル１０６の内部に配置する内胴１０７とを同心状に有し、軸受け部１０５ａ、１０５ｂがボウル１０６の回転軸心方向の両端の回転軸部１０６ａ、１０６ｂを回転可能に支持し、ボウル１０６が内胴１０７の回転軸心方向の両端の回転軸部１０７ａ、１０７ｂを回転可能に支持しており、同心状に配置されたボウル１０６と内胴１０７は同じ回転軸心周りに回転可能である。
　【００２７】
　内胴１０７は外周面に回転軸心周りに螺旋状に設けた羽根１０８を有してスクリューコンベア１０９を構成している。
　ボウル１０６は回転軸心方向の一端側が主として分離した水分の分離水Ｗが滞留する分離水領域部１１０を形成しており、回転軸心方向の他端側が主として分離した汚泥分の脱水ケーキＫを移送する脱水ケーキ領域部１１１を形成している。
　【００２８】
　ボウル１０６の回転軸心方向の一端側の端部壁１１０ａには複数の分離水排出口１１２が回転軸心から等距離の位置に、かつ回転軸心周りに所定間隔で配置されている。各分離水排出口１１２には、図２に示すようにダムプレート（堰板）１１２ａが各分離水排出口の開口の一部を覆って、かつボウル１０６の半径方向に一調整可能に装着されている。ダムプレート１１２ａは、図３に示すように、越流縁に流れ方向前方に張り出す鍔部１１２ｂを有しており、ボウル１０６の半径方向における位置を調整することにより、ボウル１０６における分離水Ｗの上限水位となる分離水排出口１１２での堰高さを設定する。ボウル１０６の回転軸心方向の他端側の周壁には複数の脱水ケーキ排出口１１３が回転軸心を中心とする放射状の位置に、かつ回転軸心周りに所定間隔で配置されている。
　【００２９】
　内胴１０７はボウル１０６の他端側に対応する部位が内胴１０７の他端に近づくほどに内胴径が拡大するテーパーシャフトの形状をなし、内胴１０７とボウル１０６の間の脱水ケーキ領域部１１１がボウル１０６の他端に近づくほどに狭くなり、内胴１０７の他端外周面とボウル１０６の他端内周面との間の隘路１０６ｃが脱水ケーキ領域部１１１と脱水ケーキ排出口１１３を連通している。
　【００３０】
　脱水本体部１０４は、内胴１０７がボウル１０６に対して所定の差速で回転し、スクリューコンベア１０９がボウル１０６の内周面上で脱水ケーキＫをボウル１０６の他端側に向けて移送し、脱水ケーキＫが脱水ケーキ領域部１１１から隘路１０６ｃを通して脱水ケーキ排出口１１３に押し出される。
　【００３１】
　脱水本体部１０４を覆って配置するハウジング１１４は主構造部材１０１に固定してあり、分離水領域部１１０の分離水排出口１１２を囲む部位に下方に向けて開口する分離水放出口１１５を有し、脱水ケーキ領域部１１１の脱水ケーキ排出口１１３を囲む部位に下方に向けて開口する脱水ケーキ放出口１１６を有している。
　【００３２】
　軸受け部１０５ｂで支持された脱水ケーキ領域部１１１の側の回転軸部１０６ｂおよび回転軸部１０６ｂを貫通する内胴１０７の回転軸１０７ｂには差速装置として油圧モータ１１８を接続し、油圧モータ１１８に駆動源の駆動モータや油圧ポンプ（図示せず）が連結されている。
　【００３３】
　汚泥供給管１２０は、軸受け部１０５ａで支持された分離水領域部１１０の側の回転軸部１０６ａを貫通して内胴１０７の内部に挿入されており、先端開口１２０ａが内胴１０７の汚泥投入部１２１の壁面に対向している。薬剤供給管１２２は、汚泥供給管１２０の内部に挿入されており、先端開口１２２ａが内胴１０７の汚泥投入部１２１の壁面に対向している。
　【００３４】
　内胴１０７の汚泥投入部１２１の周壁には分離水領域部１１０の内部に向けて開口する複数の汚泥投入口１２１ａが回転軸心を中心とする放射状の位置に、かつ回転軸心周りに所定間隔で配置されている。
　【００３５】
　ボウル１０６の回転軸心方向の一端側にある端部壁１１０ａの外面とハウジング１１４の内面との間にカバー部材１１４ａを設けており、カバー部材１１４ａはハウジング１１４で支持している。このカバー部材１１４ａとハウジング１１４の内面との間に分離水排水空間Ｅを形成しており、カバー部材１１４ａはボウル１０６の端部壁１１０ａの外面における分離水排出口１１２からボウル径方向の外側域を分離水排水空間Ｅから隔てるものである。
　【００３６】
　カバー部材１１４ａは、本実施の形態に示す形状に限定されるものではなく、ボウル１０６の端部壁１１０ａの外面における分離水排出口１１２からボウル径方向の外側域を分離水排水空間Ｅから隔てる機能を発揮するものであれば良く、図２に示すように、ボウル１０６の外周面上にまで延び広がっていても良い。
［作用］
　原汚泥Ｓを汚泥供給管１２０を通して高速回転する内胴１０７の汚泥投入部１２１に供給するとともに、高分子凝集剤Ｃを薬剤供給管１２２を通して高速回転する内胴１０７の汚泥投入部１２１に供給して混合し、原汚泥Ｓと高分子凝集剤Ｃの混合汚泥を汚泥投入部１２１の汚泥投入口１２１ａから高速回転するボウル１０６の内部に投入する。
　【００３７】
　ボウル１０６の内部で凝集した汚泥フロックＦを含む混合汚泥は、遠心力により分離水Ｗと脱水ケーキＫとに固液分離される。ボウル１０６と回転数差（差速）をもつスクリューコンベア１０９が脱水ケーキＫを脱水ケーキ領域部１１１に移送し、脱水ケーキＫは脱水ケーキ領域部１１１を移動する間に含水率がさらに低下し、脱水ケーキ排出口１１３からハウジング１１４の内部に排出され、脱水ケーキ放出口１１６から機外へ放出される。
　【００３８】
　ボウル１０６の分離水排出口１１２からダムプレート１１２ａを越流してハウジング１１４の内部に排出される分離水Ｗが遠心力を受けて回転軸心周りに放散されて、カバー部材１１４ａとハウジング１１４の内面との間の分離水排水空間Ｅに飛散水が充満し、分離水Ｗは分離水放出口１１５から機外へ放出される。
　【００３９】
　カバー部材１１４ａはボウル１０６の端部壁１１０ａの外面における分離水排出口１１２からボウル径方向の外側域を分離水排水空間Ｅから隔てるので、分離水排水空間Ｅにある分離水Ｗがボウル１０６の端部壁１１０ａの外面に付着したり、あるいは衝突することが少なく、ボウル１０６から排出した分離水Ｗがボウル１０６の回転に対して抵抗となることがなく、ボウル１０６の回転に要する消費電力を抑制して遠心分離機の駆動に要する電力消費量を低減することができる。
　【００４０】
　また、ダムプレート１１２ａが越流縁に流れ方向前方に張り出す鍔部１１２ｂを有することで、分離水排出口１１２から排出する分離水Ｗは分離水排水空間Ｅに確実に導かれ、分離水Ｗがカバー部材１１４ａとボウル１０６の端部壁１１０ａの外面との間に放散されることを防止できる。
　【００４１】
　また、カバー部材１１４ａがボウル１０６の外周面上にまで延び広がっていることで、ボウル１０６から排出した分離水Ｗがボウル１０６に付着したり、あるいは衝突することが確実になくなり、遠心分離機の駆動に要する電力消費量をさらに低減することができる。
　【００４２】
　上述した実施の形態では、ボウル１０６は直胴型を例示したが、デカンタ式とすることも可能であり、スクリューコンベア１０９はストレートでも良い。また、汚泥供給や凝集剤の注入方法は、本実施の形態に開示したものに限定されず、注入の向きを逆方向とすることも可能である。
　【符号の説明】
　【００４３】
１００　　遠心脱水機
１０１　　主構造部材
１０２　　設置床面
１０３　　防振ゴム
１０４　　脱水本体部
１０５ａ、１０５ｂ　軸受け部
１０６　　ボウル
１０６ｃ　隘路
１０７　　内胴
１０７ａ、１０７ｂ　回転軸部
１０８　　羽根
１０９　　スクリューコンベア
１１０　　分離水領域部
１１０ａ　端部壁
１１１　　脱水ケーキ領域部
１１２　　分離水排出口
１１２ａ　ダムプレート
１１２ｂ　鍔部
１１３　　脱水ケーキ排出口
１１４　　ハウジング
１１４ａ　カバー部材
１１５　　分離水放出口
１１６　　脱水ケーキ放出口
１１８　　油圧モータ
１２０　　汚泥供給管
１２０ａ　先端開口
１２１　　汚泥投入部
１２１ａ　汚泥投入口
１２２　　薬剤供給管
１２２ａ　先端開口
　　Ｃ　　高分子凝集剤
　　Ｓ　　原汚泥
　　Ｗ　　分離水
　　Ｋ　　脱水ケーキ
　　Ｅ　　分離水排水空間
（５７）【特許請求の範囲】
　【請求項１】
（削除）
　【請求項２】
　
回転軸心周りに回転して処理対象汚泥を遠心力で分離水と脱水ケーキに固液分離するボウルと、ボウルの回転軸心方向の一端側の端部壁に設けた分離水排出口と、ボウルの回転軸心方向の他端側に設けた脱水ケーキ排出口と、ボウル内で前記回転軸心回りに回転してボウルの内周面上で脱水ケーキを脱水ケーキ排出口に向けて移送するスクリューコンベアと、ボウルを覆って配置するハウジングを備え、
　ボウルの前記端部壁の外面とハウジングの内面との間にカバー部材を設け、カバー部材とハウジングの内面との間に分離水排水空間を形成し、カバー部材がボウルの前記端部壁の外面における分離水排出口からボウル径方向の外側域を分離水排水空間から隔て、
　
ボウルの半径方向における位置を調整することにより、ボウル内の上限水位となる分離水排出口での堰高さを設定するダムプレートを、各分離水排出口の開口の一部を覆って配置し、
　ダムプレートは、前記分離水が越流する越流縁に、前記分離水の越流方向である前記回転軸心方向前方に張り出す鍔部を有し、
　鍔部は、カバー部材の内周縁に掛かるように張り出すことを特徴とする遠心分離機。
　【請求項３】
　カバー部材は、ボウルの外周面上にまで延び広がっていることを特徴とする
請求項２に